(57)【要約】      （修正有）【課題】天幕屋根を有する側面開放型タープテントであって、横風、地面からの巻き上げ風への防風対策を施し、シンプルな構造で、設営も容易な、野外キャンプ向きのタープテントを提供する。【解決手段】上部天幕４と下部天幕２との上下二重構造の天幕屋根１からなり、前記下部天幕天頂部に開口部３を設け、横風、地面からの巻き上げ風を前記開口部から前記上部天幕内面へと誘導し、上部天幕内面と下部天幕外面との間の隙間から逃がすことが出来るよう構成する。【選択図】図１
0003161298.tif 000002
【実用新案登録請求の範囲】
【請求項１】
上部天幕および下部天幕の上下二層構造の天幕屋根からなるタープテントであって、前記下部天幕天頂部に前記上部天幕が重ね合わされ、前記上部天幕下部の一部分が前記下部天幕上部に固着され、前記下部天幕天頂部に一または複数の開口部を設けていることを特徴とするタープテント
【請求項２】
請求項１記載のタープテントであって、前記天幕屋根は、天頂部を錐面の頂点とする略四角錐状の外見をなし、前記上部天幕は略四角錐状に形成され、前記下部天幕は略四角錐台状に形成されており、前記上部天幕各側辺が、それぞれ対応する前記下部天幕各側辺に固着されていることを特徴とするタープテント
【請求項３】
請求項２記載のタープテントであって、前記天幕屋根各側辺の内側、および前記天幕屋根各底辺の内側に架設される骨組を備え、前記骨組下部の四隅に、前記骨組を支えるための、地面から立設する支柱を配していることを特徴とするタープテント
【考案の詳細な説明】
【技術分野】
【０００１】
本考案は、防風機能を有するタープテントに関する。
【背景技術】
【０００２】
近年のアウトドアスポーツのブームにより、設営が容易であることと相まって、天幕屋根を有する側面開放型のタープテントがよく使用されている。
タープテントは、側面が開放されていることを特徴とし、開放感が得られるものの、上部に天幕屋根を有しており、その天幕屋根も天頂部から下方に傾斜するのが通常であるため、横風、地面からの巻き上げ風に弱く、強風によってタープテントが飛ばされたり、不安定になる等の問題があった。
そこで、風対策を施したタープテントに関する技術が公開されている。
【先行技術文献】
【特許文献】
【０００３】
【特許文献１】ＷＯ２００４／０５９１０６
【特許文献２】特開平１１−９３４６２号公報
【考案の概要】
【考案が解決しようとする課題】
【０００４】
特許文献１に記載の横風対応型野外テントは、風対策として有効ではあるが、構造・形状が複雑となり、重量も嵩む等、野外キャンプ用途としては不向きである。
【０００５】
特許文献２記載のタープテントは、シンプルな構造であり、野外キャンプ用途として適しているが、地面からの巻き上げ風に対する効果が十分とはいえず、天幕にメッシュ生地を使用するため、防水対策が十分でない等の問題がある。
【０００６】
そこで、本考案は、風対策、水対策も施しながら、構造もシンプルであり、設営が容易であって野外キャンプにも適する、上記問題を解決したタープテントを提供することを目的とする。
【課題を解決するための手段】
【０００７】
請求項１記載のタープテントは、上部天幕および下部天幕の上下二層構造の天幕屋根からなるタープテントであって、前記下部天幕天頂部に前記上部天幕が重ね合わされ、前記上部天幕下部の一部分が前記下部天幕上部に固着され、前記下部天幕天頂部に一または複数の開口部を設けていることを特徴とする。
【０００８】
下部天幕天頂部に開口部を設けることにより、横風、下からの巻き上げ風を上方向へと誘導し、上部天幕と下部天幕との間から逃がすことが可能となり、風圧を減少させ、防風効果が得られることとなる。
【０００９】
請求項２記載のタープテントは、請求項１記載のタープテントであって、前記天幕屋根は、天頂部を錐面の頂点とする略四角錐状の外見をなし、前記上部天幕は略四角錐状に形成され、前記下部天幕は略四角錐台状に形成されており、前記上部天幕各側辺が、それぞれ対応する前記下部天幕各側辺に固着されていることを特徴とする。
【００１０】
天幕を略四角錐状とすることにより、前後左右どの横方向からの風にも、安定した防風効果が期待できることとなる。
【００１１】
請求項３記載のタープテントは、請求項２記載のタープテントであって、前記天幕屋根各側辺の内側、および前記天幕屋根各底辺の内側に架設される骨組を備え、前記骨組下部の四隅に、前記骨組を支えるための、地面から立設する支柱を配していることを特徴とする。
【００１２】
天幕屋根を骨組および支柱で支えることにより、より強固にタープテントを設営できるとともに、天幕の安定性が増すことにより、より効果的な防風対策が可能となる。
【考案の効果】
【００１３】
本考案によれば、側面開放型のタープテントでありながら、横風、地面からの巻き上げ風に対する防風効果が得られる上、複雑な構造をとることなく軽量とすることができ、設営が容易である等の優れた効果を得ることができる。
【図面の簡単な説明】
【００１４】
【図１】本考案の実施の形態において、天幕屋根天頂部の斜視図である。
【図２】本考案の実施の形態において、図１のａ−ａ’線の断面図である。
【図３】本項案の実施の形態において、風が通過する状態を示す図１のａ−ａ’線の断面図である。
【図４】本考案の実施の形態において、タープテントの上面図である。
【図５】本考案の実施の形態において、タープテントの側面図である。
【考案を実施するための形態】
【００１５】
以下、図面を参照しつつ、考案の実施の形態について説明する。
【００１６】
本実施の形態については、天幕屋根１天頂部を錐面の頂点とする略四角錐形状とし、天幕屋根１各側辺の内側、および前記天幕屋根１各底辺の内側に骨組６が架設され、前記骨組６下部の四隅を地面から立設する支柱７で支えているタープテントについて説明する。
なお、本考案の実施の形態としては、略四角錐状の天幕屋根としているが、特に限定されるものでなく、略三角錐形状等の任意の形状としても実施可能である。
そして、天幕屋根１の素材としては、ナイロン、ポリエステル等の軽量かつ薄手のものが好ましく、防水加工もしくは撥水加工が施されていることが望ましい。骨組６および支柱７については、木材、樹脂素材、金属素材等が使用可能であるが、本実施形態においては、強度・重量等の観点からパイプ状のアルミニウムを使用することを想定しているが、分解かつ折り畳み可能な構造とすることにより、携帯が容易になる。
【００１７】
本考案のタープテントを地面に設置する場合、本実施形態においては、天幕屋根１各底辺の内側に架設された骨組６下部の四隅を地面から立設する支柱７で支え、さらに天幕屋根１底辺四隅にロープ８の一端を連結し、その反対端を地面にペグ９にて固定することにより、天幕屋根を支えてタープテントを設営することとしているが、骨組６と支柱７のみによって、天幕屋根を支えることも可能である。
また、天幕屋根１天頂部にロープの一端を連結し、その反対端を天幕屋根１天頂部より上方向にある立木等に連結し、天幕屋根底辺の四隅それぞれにロープ８の一端を連結し、その反対端を地面にペグ９にて固定することにより、骨組６および支柱７を用いずとも、天幕屋根を支えることができ、タープテントの設営が可能となる。
【００１８】
次に、図１乃至図３を参照しつつ、本実施例の防風構造について説明する。  図１は天幕屋根１天頂部の斜視図であり、図２は図１のａ−ａ’線の断面図であり、図３は風が通過する状態を示す図１のａ−ａ’線の断面図である。
なお、図１において、説明に不要な骨組６は省略している。
【００１９】
下部天幕２は略四角錐台状となっており、その天頂部の上面すべてが開口されている。本実施例においては、上面すべてを開口しているが、その一部分だけを開口することでも実施可能であり、開口部の大きさ、開口部の数量も任意とすることができる。また、上面を開口する変わりに、メッシュ素材とすることによっても実施可能である。
ここで、下部天幕２を略四角錐台状としているが、上部天幕４に対応する形状とし、下部天幕２と上部天幕４とで、天幕屋根１を形成できる限り、下部天幕２を略四角錐状、略三角錐状等の任意の形状とすることができる。そして、下部天幕２天頂部に下部天幕開口部３を設ける限り、実施可能となる。
【００２０】
上部天幕４は、略四角錐状となっており、その下部が下部天幕２と重なり、天幕屋根１を形成することとなる。
ここで、上部天幕４を略四角錐状としているが、下部天幕２に対応する形状とし、上部天幕４と下部天幕２とで天幕屋根１を形成できる限り、上部天幕４を略四角錐台状、略三角錐状等の任意の形状とすることも可能である。
【００２１】
下部天幕２の上部と上部天幕４の下部とが結合し、一体的な天幕屋根１を形成しているが、その結合は、下部天幕２の４つの側辺の上部と、それに対応する上部天幕４の４つの側辺の下部とが固着されることによりなされる。
固着方法としては、本実施例においては、縫着により固着しているが、その縫代部分にシームテープを用いる等の防水対策を施すことが望ましい。もしくは、接着剤を用いて固着する方法、圧着固定する方法等によっても実施可能である。
【００２２】
横方向からの風、もしくは地面からの巻き上げ風が吹いてきた場合、本考案のタープテントは側面開放型となっているため、天幕屋根１外面、または天幕屋根１内面すなわち下部天幕２の内面に風圧がかかることとなる。
天幕屋根１外面にあたる風は、その形状から天幕屋根１側面に添って、側方向もしくは上方向に逃がすことにより風圧を減少させることができる。
そして、下部天幕１内面にあたる風が、下部天幕２内面に添って下方向へ向かう場合は、下部天幕２底辺より下は開放されているため、風を外部へ逃がすことができ、風圧を減少させることができる。
しかし、下部天幕２内面に添って上方向へと向かう風は、通常のタープテントであれば、天幕屋根天頂部が開放されていないため、風圧を減少させることができず、設営の安定に支障をきたし、風で飛ばされてしまうこともあり得る。
【００２３】
そこで、下部天幕２天頂部に開口部３を設けることにより、前記上方向へ向かう風は、開口部３を通過し、上部天幕４天頂部内面へと向かうことになる。ここで、下記天幕２上部と上部天幕４下部とが隙間なく固着されてしまう場合には、通常のタープテントと同様に風圧を減少させることはできないが、下部天幕２の４つの側辺の上部と、それに対応する上部天幕４の４つの側辺の下部のみとが固着されているため、図２に示すように、通常は下部天幕２側面上部の外面と上部天幕４側面下部の内面とは密着しているが、開口部３を通過した風が上部天幕４内面に進入すると、図３に示すように、上部天幕４内面にかかる風圧により、下部天幕２側面上部の外面と上部天幕４側面下部の内面との間に隙間が生じ、その隙間から風が外部に逃げることにより、天幕屋根１内面にかかる風圧を減少させることができる。
【００２４】
なお、本実施例においては、下部天幕２の４つの側辺の最上部と、それに対応する上部天幕４の４つの側辺の最下部とを固着し、その固着長は５ｃｍ〜１０ｃｍ程度を想定している。その固着長を長くすることにより、下部天幕２と上部天幕４との固着力は強まるが、それに反比例して風圧減少効果は弱まることとなる。したがって、天幕屋根の大きさ、下部天幕開口部３の大きさ、下部天幕２と上部天幕４とが重なる部分の面積等のバランスを考慮して、固着長を決定すべきである。
また、本実施例においては、下部天幕２の４つの側辺の最上部と、それに対応する上部天幕４の４つの側辺の最下部とを固着しているが、下部天幕２側面上部の外面と上部天幕４側面下部の内面との間に風を逃がす隙間が生じる限りにおいて、その固着位置は任意であり、実施可能である。
【００２５】
天幕屋根１は略四角錐形状となっており、下部天幕２側面上部と上部天幕４側面下部とが重なる部分においては、上部天幕４が斜下方向に下部天幕２を覆う構造となっているため、通常の下部天幕２側面上部の外面と上部天幕４側面下部の内面とが密着している状態のみならず、風圧により下部天幕２側面上部の外面と上部天幕４側面下部の内面との間に隙間が生じた場合においても、雨の侵入を防ぐことが可能となっている。
【符号の説明】
【００２６】
１              天幕屋根
２              下部天幕
３              下部天幕開口部
４              上部天幕
５              上部天幕と下部天幕との固着部
６              骨組
７              支柱
８              ロープ
９              ペグ
【図１】
0003161298.tif 000003
【図２】
0003161298.tif 000004
【図３】
0003161298.tif 000005
【図４】
0003161298.tif 000006
【図５】
0003161298.tif 000007